(57)【要約】【課題】  離し置きされた建物ユニットの相隣る各柱に、外壁パネルを簡易かつ短時間に高精度で取付けること。【解決手段】  離し置きされた２個の建物ユニット１０の相隣る各柱１１に跨るように外壁パネル１００を取付けてなるユニット建物１において、前記外壁パネル１００の裏面に、相隣る各柱１１の少なくとも一方の柱１１の外側面に設けてあるねじ１２０の首に引っ掛けて取付けられる引掛け金具１１０が設けられてなるもの。【選択図】  図１７
2011226262.tif 000002
【特許請求の範囲】
【請求項１】
離し置きされた２個の建物ユニットの相隣る各柱に跨るように外壁パネルを取付けてなるユニット建物において、
前記外壁パネルの裏面に、相隣る各柱の少なくとも一方の柱の外側面に設けてあるねじの首に引っ掛けて取付けられる引掛け金具が設けられ、
前記外壁パネルの引掛け金具が、柱の外側面のうちで該外壁パネルが添設する外面に直交する横面に設けてあるねじの首に引っ掛けて取付けられ、
前記引掛け金具は、上記ねじの首に上方から引っ掛け可能になる下向き開口の取付溝を備え、上記柱に倣って外壁パネルの上下方向の取付位置を調整可能にすることを特徴とするユニット建物。
【請求項２】
前記外壁パネルの端に固定片が突出して設けられてなる請求項１に記載のユニット建物。
【請求項３】
前記外壁パネルの裏面の下端部が、柱に固定されている下金具に添設されてなる請求項１又は２に記載のユニット建物。
【請求項４】
前記外壁パネルの裏面の上端部に上金具が設けられてなる請求項３に記載のユニット建物。
【請求項５】
前記引掛け金具が外壁パネルに１つだけ設けられてなる請求項１〜４のいずれかに記載のユニット建物。
【請求項６】
離し置きされた２個の建物ユニットの相隣る各柱に跨るように取付けられる外壁パネルにおいて、
前記外壁パネルの裏面に、相隣る各柱の少なくとも一方の柱の外側面に設けてあるねじの首に引っ掛けて取付けられる引掛け金具が設けられ、
前記外壁パネルの引掛け金具が、柱の外側面のうちで該外壁パネルが添設する外面に直交する横面に設けてあるねじの首に引っ掛けて取付けられ、
前記引掛け金具は、上記ねじの首に上方から引っ掛け可能になる下向き開口の取付溝を備え、上記柱に倣って外壁パネルの上下方向の取付位置を調整可能にすることを特徴とする外壁パネル。
【請求項７】
前記外壁パネルの端に固定片が突出して設けられてなる請求項６に記載の外壁パネル。
【請求項８】
前記外壁パネルの裏面の下端部が、柱に固定されている下金具に添設されてなる請求項６又は７に記載の外壁パネル。
【請求項９】
前記外壁パネルの裏面の上端部に上金具が設けられてなる請求項８に記載の外壁パネル。
【請求項１０】
前記引掛け金具が外壁パネルに１つだけ設けられてなる請求項６〜９のいずれかに記載の外壁パネル。
【請求項１１】
請求項１に記載のユニット建物の施工方法において、
外壁パネルの引掛け金具を柱の外側面に設けてあるねじに相対するように吊り込み、
外壁パネルの引掛け金具を柱の外側面に設けてあるねじに引っ掛けて仮置きし、
外壁パネルの取付高さ位置を調整するユニット建物の施工方法。
【請求項１２】
請求項１１に記載のユニット建物の施工方法において、
更に、外壁パネルの端から突出する固定片を建物に固定するユニット建物の施工方法。
【請求項１３】
離し置きされた２個の建物ユニットの相隣る各柱に跨るように取付けられる外壁パネルにおいて、
相隣る各柱の側に設けられる受け面に衝合する調整ボルトを備え、該受け面に対する取付高さ位置を調整可能にする縦調整金具を有し、
前記相隣る各柱の外側面に設けてあるねじの首に引っ掛けて取付けられる引掛け金具が設けられ、
前記引掛け金具は、上記ねじの首に上方から引っ掛け可能になる取付溝を備え、外壁パネルの上記柱に沿う鉛直方向高さ位置を調整可能にすることを特徴とする外壁パネル。
【請求項１４】
前記縦調整金具が引寄せ具を挿し込みできる孔を備えてなる請求項１３に記載の外壁パネル。
【発明の詳細な説明】
【技術分野】
【０００１】
本発明は、ユニット建物、外壁パネル及びユニット建物の施工方法に関する。
【背景技術】
【０００２】
ユニット建物において、特許文献１に記載の如く、相隣る２個の建物ユニットを離し置きし、離し置きされた建物ユニットの相隣る柱に跨るように外壁パネルを取付けてなるものがある。外壁パネルは、離し置きされた建物ユニットの広い柱間隔Ａ（例えば236mm）を被覆するものである。
【先行技術文献】
【特許文献】
【０００３】
【特許文献１】特開2008-255723
【発明の概要】
【発明が解決しようとする課題】
【０００４】
離し置きされた建物ユニットの相隣る各柱は、それらの相互位置の鉛直高さ方向や水平方向でのずれを生ずることがある。そのような場合には、離し置きされた建物ユニットの各柱に跨るように取付けられた外壁パネルの横模様（タイル目地等）が、離し置きの一方側の建物ユニットの外壁面に設けられている一方側の外壁パネルの横模様と、離し置きの他方側の建物ユニットの外壁面に設けられている他方側の外壁パネルの横模様のそれぞれに対してずれ、ユニット建物の外壁面の外観を損なうおそれがある。
【０００５】
本発明の課題は、相隣る建物ユニットを離し置きしてなるユニット建物の外壁面の外観を向上することにある。
【０００６】
また、外壁パネルを離し置きされた建物ユニットの相隣る各柱に取付けるに際し、重機を用いて吊り込んだ外壁パネルをその重機により取付け位置に対して位置調整し、更に風力等に対しその重機により静止保持しつつ柱に固定している。このため、取付作業に長時間を必要とするばかりか、取付位置の高精度化にも困難がある。
【０００７】
本発明の他の課題は、離し置きされた建物ユニットの相隣る各柱に、外壁パネルを簡易かつ短時間に高精度で取付けることにある。
【課題を解決するための手段】
【０００８】
請求項１に係る発明は、離し置きされた２個の建物ユニットの相隣る各柱に跨るように外壁パネルを取付けてなるユニット建物において、前記外壁パネルの裏面に、相隣る各柱の少なくとも一方の柱の外側面に設けてあるねじの首に引っ掛けて取付けられる引掛け金具が設けられ、前記外壁パネルの引掛け金具が、柱の外側面のうちで該外壁パネルが添設する外面に直交する横面に設けてあるねじの首に引っ掛けて取付けられ、前記引掛け金具は、上記ねじの首に上方から引っ掛け可能になる下向き開口の取付溝を備え、上記柱に倣って外壁パネルの上下方向の取付位置を調整可能にするようにしたものである。
【０００９】
請求項２に係る発明は、請求項１に係る発明において更に、前記外壁パネルの端に固定片が突出して設けられてなるようにしたものである。
【００１０】
請求項３に係る発明は、請求項１又は２に係る発明において更に、前記外壁パネルの裏面の下端部が、柱に固定されている下金具に添設されてなるようにしたものである。
【００１１】
請求項４に係る発明は、請求項３に係る発明において更に、前記外壁パネルの裏面の上端部に上金具が設けられてなるようにしたものである。
【００１２】
請求項５に係る発明は、請求項１〜４のいずれかに係る発明において更に、前記引掛け金具が外壁パネルに１つだけ設けられてなるようにしたものである。
【００１３】
請求項６に係る発明は、離し置きされた２個の建物ユニットの相隣る各柱に跨るように取付けられる外壁パネルにおいて、前記外壁パネルの裏面に、相隣る各柱の少なくとも一方の柱の外側面に設けてあるねじの首に引っ掛けて取付けられる引掛け金具が設けられ、前記外壁パネルの引掛け金具が、柱の外側面のうちで該外壁パネルが添設する外面に直交する横面に設けてあるねじの首に引っ掛けて取付けられ、前記引掛け金具は、上記ねじの首に上方から引っ掛け可能になる下向き開口の取付溝を備え、上記柱に倣って外壁パネルの上下方向の取付位置を調整可能にするようにしたものである。
【００１４】
請求項７に係る発明は、請求項６に係る発明において更に、前記外壁パネルの端に固定片が突出して設けられてなるようにしたものである。
【００１５】
請求項８に係る発明は、請求項６又は７に係る発明において更に、前記外壁パネルの裏面の下端部が、柱に固定されている下金具に添設されてなるようにしたものである。
【００１６】
請求項９に係る発明は、請求項８に係る発明において更に、前記外壁パネルの裏面の上端部に上金具が設けられてなるようにしたものである。
【００１７】
請求項１０に係る発明は、請求項６〜９のいずれかに係る発明において更に、前記引掛け金具が外壁パネルに１つだけ設けられてなるようにしたものである。
【００１８】
請求項１１に係る発明は、請求項１に記載のユニット建物の施工方法において、外壁パネルの引掛け金具を柱の外側面に設けてあるねじに相対するように吊り込み、外壁パネルの引掛け金具を柱の外側面に設けてあるねじに引っ掛けて仮置きし、外壁パネルの取付高さ位置を調整するようにしたものである。
【００１９】
請求項１２に係る発明は、請求項１１に記載のユニット建物の施工方法において、更に、外壁パネルの端から突出する固定片を建物に固定するようにしたものである。
【００２０】
請求項１３に係る発明は、離し置きされた２個の建物ユニットの相隣る各柱に跨るように取付けられる外壁パネルにおいて、相隣る各柱の側に設けられる受け面に衝合する調整ボルトを備え、該受け面に対する取付高さ位置を調整可能にする縦調整金具を有し、前記相隣る各柱の外側面に設けてあるねじの首に引っ掛けて取付けられる引掛け金具が設けられ、前記引掛け金具は、上記ねじの首に上方から引っ掛け可能になる取付溝を備え、外壁パネルの上記柱に沿う鉛直方向高さ位置を調整可能にするようにしたものである。
【００２１】
請求項１４に係る発明は、請求項１３に係る発明において更に、前記縦調整金具が引寄せ具を挿し込みできる孔を備えてなるようにしたものである。
【００２２】
【００２３】
【００２４】
【００２５】
【００２６】
【００２７】
【００２８】
【００２９】
【００３０】
【発明の効果】
【００３１】
（請求項１３）
(a)外壁パネルの縦調整金具を柱側の受け調整金具に相対するように吊り込み、外壁パネルの縦調整金具が備える調整ボルトを柱側の受け調整金具の受け面に衝合し、該調整ボルトを螺動操作して縦調整金具が受け調整金具に対する取付高さ位置を調整し、外壁パネルを相隣る各柱に取付けることになる。離し置きされた建物ユニットの相隣る各柱が、それらの相互位置の鉛直高さ方向や水平方向でのずれを生ずることがあったとしても、それらの柱に取付けられる外壁パネルの取付高さ位置の調整により、それらの柱のずれを吸収する。これにより、離し置きされた建物ユニットの各柱に跨るように取付けられた外壁パネルの横模様（タイル目地等）が、離し置きの一方側の建物ユニットの外壁面に設けられている一方側の外壁パネルの横模様と、離し置きの他方側の建物ユニットの外壁面に設けられている他方側の外壁パネルの横模様のそれぞれに対するずれを解消し、ユニット建物の外壁面の外観を向上する。
【００３２】
【００３３】
（請求項１３）
(b)外壁パネルの縦調整金具を柱側の受け調整金具に相対するように吊り込んだ後、縦調整金具が受け調整金具に対する取付高さ位置を調整するに先立ち、外壁パネルの裏面に設けてある引掛け金具を相隣る各柱の外側面に仮取付けすることになる。これにより、縦調整金具が受け調整金具に対する取付高さ位置の調整作業性を向上できる。
【００３４】
（請求項１４）
(c)縦調整金具に設けてある孔に引寄せ具を挿し込むとともに、この引寄せ具の先端を受け調整金具に設けてある孔に挿し込み、縦調整金具を受け調整金具の側に引き寄せる。これにより、外壁パネルの裏面の引掛け金具を各柱の外側面に仮取付けする取付作業性を向上できる。
【００３５】
（請求項１、６、１１）
(d)外壁パネルを相隣る各柱に取付けるに際し、外壁パネルの裏面に設けてある引掛け金具を相隣る各柱の少なくとも一方の柱の外側面に設けてあるねじの首に引っ掛け、外壁パネルを各柱の外側面に仮取付けすることになる。これにより、各柱に対する外壁パネルの取付高さ位置をねじの首により容易に定めることができ、取付位置の高精度を図ることができる。そして、外壁パネルに設けてある引掛け金具をねじの首に引っ掛けた後は、重機を用いずに人手で、外壁パネルの取付位置を微調整し、本固定でき、取付作業時間を短縮できる。また、外壁パネルの本固定時に、外壁パネルは引掛け金具とねじの首との引っ掛かりにより静止保持され、風力や重機の状態に左右されず、安定的に施工できる。
【００３６】
（請求項１、６）
(e)外壁パネルの引掛け金具が、柱の外側面のうちで該外壁パネルが添設する外面に直交する横面に設けてあるねじの首に引っ掛けて取付けられる。外壁パネルの引掛け金具を柱の外側面のうちの横面に設けてあるねじの首に引っ掛けるようにするときに、引掛け金具が柱の横面に当たり、外壁パネルの横方向の取付位置が直ちに位置決めされる。同時に、引掛け金具を柱の横面に倣わせることにより、外壁パネルの上下方向の取付位置を容易に調整できる。これにより、引掛け金具を素早くねじの首に引っ掛けできる。建物の外側に立つ作業者により外壁パネルの裏面に設けてある引掛け金具を容易にねじの首に引っ掛けできる。
【００３７】
（請求項２、７、１２）
(f)外壁パネルの引掛け金具を柱の外側面に設けてあるねじの首に引っ掛けて仮取付けした後、外壁パネルの端から突出する固定片を建物にビス止めすることにより、外壁パネルを本固定できる。
【００３８】
（請求項３、８）
(g)外壁パネルの下端部の裏面が、柱に固定されている下金具に、シール部材を介する等により、安定的に添設されて取付けできる。
【００３９】
（請求項４、９）
(h)外壁パネルの裏面の上端部に設けてある上金具に対し、上階建物ユニットの柱に固定されている下金具が、シール部材を介する等により安定的に当接して取付けられる。
【００４０】
（請求項５、１０）
(i)離し置きされた２個の建物ユニットが入隅を形成するとき、外壁パネルに唯１つの引掛け金具を設けたものを用いる。外壁パネルの一端側の引掛け金具が一方の建物ユニットの柱の外側面に設けてあるねじの首に引っ掛けられ、外壁パネルの他端側の固定片が他方の建物ユニットの柱の外側面に立て掛けられる。これにより、外壁パネルが入隅に設けられて相隣る柱の外側面に仮取付けされる。
【図面の簡単な説明】
【００４１】
【図１】図１は離し置きユニット建物を示す模式図である。
【図２】図２は外壁パネルの裏面図である。
【図３】図３は図２のIII-III線に沿う縦断面図である。
【図４】図４は図２のIV-IV線に沿う縦断面図である。
【図５】図５は図２のV-V線に沿う横断面図である。
【図６】図６は図２のVI部を示す拡大図である。
【図７】図７は受け調整金具の取付工程を示す模式図である。
【図８】図８は外壁パネルの吊り込み工程を示す模式図である。
【図９】図９は外壁パネルの仮取付工程を示す模式図である。
【図１０】図１０は外壁パネルの引寄せ工程を示す模式図である。
【図１１】図１１は外壁パネルの取付高さ調整工程を示す模式図である。
【図１２】図１２は図１のXII部における外壁パネルの基礎への取付構造を示す模式図である。
【図１３】図１３は図１のXIII部における上下の外壁パネルの連結構造を示す模式図である。
【図１４】図１４は外壁パネルの裏面図である。
【図１５】図１５は外壁パネルの側面図である。
【図１６】図１６は図１４のXVI-XVI線に沿う横断面図である。
【図１７】図１７は上下の外壁パネルの連結状態を示す側面図である。
【図１８】図１８は図１７のXVIII-XVIII線に沿う横断面図である。
【図１９】図１９は外壁パネルの裏面図である。
【図２０】図２０は外壁パネルの側面図である。
【図２１】図２１は図１９のXXI-XXI線に沿う横断面図である。
【図２２】図２２は入隅に設置された外壁パネルを示す横断面図である。
【発明を実施するための形態】
【００４２】
本発明が適用されるユニット建物１は、図１に示す如く、複数の工場生産された建物ユニット１０を建築現場の基礎２の上で、左右上下に隣接設置されて構築される。ユニット建物１は、左右２個の建物ユニット１０、１０の各柱１１、１１を一定の柱間隔Ａ（例えば236mm）で離し置きし（図５）、それらの相隣る柱１１、１１に跨るように外壁パネル２０を取付けて構成される（図５）。尚、図５に示す如く、離し置きの一方側の建物ユニット１０の外壁面には一方側の外壁パネル２０Ａが工場取付けされ、離し置きの他方側の建物ユニット１０の外壁面には他方側の外壁パネル２０Ｂが工場取付けされている。
【００４３】
このとき、図５、図７に示す如く、相隣る各柱１１、１１の外側面には受け調整金具３０が取付けられる。受け調整金具３０は、相隣る各柱１１、１１の外側面に工場取付けされて設けられているねじ３４（トラスタッピングねじ等）の首に引っ掛けて取付けられる。受け調整金具３０は、相隣る柱１１、１１の外側面に添い設けられる平板状取付部３１を備え、取付部３１の両端部に、それらの各柱１１、１１のねじ３４の首に上方から引っ掛け可能になる下向き開口の取付溝３１Ａ、３１Ａを備える。受け調整金具３０は、取付部３１の長手方向中央部（相隣る柱１１、１１の柱間隔に入る部分）の上縁部から柱内方側に向けて直角に折曲げた折曲げ部３２を備える。受け調整金具３０は、折曲げ部３２の長手方向の両端部を受け面３２Ａとし、その長手方向中央部に後述する引寄せ具６０ための挿し込み孔３３を備える。
【００４４】
外壁パネル２０は、図２〜図６に示す如く、枠材２１に壁面材２２を貼着固定して形成される。外壁パネル２０の裏面の上端部には外壁上金具２３が取付けられ、外壁パネル２０の裏面の下端部には外壁下金具２４が取付けられる。
【００４５】
外壁パネル２０は、図２〜図６に示す如く、縦調整金具４０を有する。縦調整金具４０は、外壁パネル２０の裏面に設けられて相隣る各柱１１、１１の側の受け調整金具３０に上方から相対し、受け調整金具３０の受け面３２Ａに衝合する調整ボルト４４を備え、受け調整金具３０に対する取付高さ位置を調整可能にする。
【００４６】
縦調整金具４０は、外壁パネル２０の裏面に設けられる後述の引掛け金具５０の長手方向中央部（相隣る柱１１、１１の柱間隔に入る部分）の上に重ね合わされるように設けられる平板状取付部４１を備え、取付部４１の下縁部に直角に折曲げられた折曲げ部４２を備える。縦調整金具４０は、折曲げ部４２の長手方向の両端部に、受け調整金具３０の受け面３２Ａに衝合する左右の調整ボルト４４を螺合して備え、その長手方向中央部に後述する引寄せ具のための挿し込み孔４３を備える。
【００４７】
外壁パネル２０は、図２〜図６に示す如く、引掛け金具５０を有する。引掛け金具５０は、外壁パネル２０の裏面に設けられ、相隣る各柱１１、１１の外側面に工場取付けされて設けられているねじ３５（トラスタッピングねじ等）の首に引掛けて取付けられる。引掛け金具５０は、外壁パネル２０の裏面に取付けられ、相隣る各柱１１、１１のねじ３５の首に上方から引っ掛け可能になる下向き開口の取付溝５１Ａ、５１Ａを備える。
【００４８】
以下、ユニット建物１の施工方法について説明する（図７〜図１３）。
(1)離し置きされて相隣る２個の建物ユニット１０、１０の、相隣る各柱１１、１１の外側面に受け調整金具３０を取付ける（図７）。
【００４９】
受け調整金具３０の取付部３１の両端部に備えてある各取付溝３１Ａ、３１Ａを、各柱１１、１１の外側面に設けてあるねじ３４の首に上方から引っ掛けて取付ける。
【００５０】
(2)外壁パネル２０の縦調整金具４０を上述(1)の各柱１１、１１側の受け調整金具３０に上方から相対することとなる位置に吊り込む（図８）。
【００５１】
外壁パネル２０の外壁上金具２３に庇吊具７０を掛ける。外壁パネル２０に設けてある縦調整金具４０の挿し込み孔４３にロープ８０を掛ける。ロープ８０を引いて外壁パネル２０を安定させながら吊り込む。
【００５２】
(3)外壁パネル２０の裏面に設けてある引掛け金具５０の取付溝５１Ａを、相隣る各柱１１、１１の外側面に設けてあるねじ３５の首に上方から引っ掛けて仮取付けする（図９）。
【００５３】
このとき、外壁パネル２０に設けてある縦調整金具４０の挿し込み孔４３に引寄せ具６０を挿し込むとともに、この引寄せ具６０の先端を受け調整金具３０に設けてある挿し込み孔３３に挿し込み、縦調整金具４０を受け調整金具３０の側に引き寄せ、引掛け金具５０の取付溝５１Ａをねじ３５の首に引っ掛ける（図１０）。
【００５４】
(4)外壁パネル２０の縦調整金具４０が備える左右の調整ボルト４４の先端を、相隣る各柱１１、１１の受け調整金具３０の受け面３２Ａに衝合し、調整ボルト４４を螺動操作して縦調整金具４０が受け調整金具３０に対する取付け高さ位置を調整する（図１１）。外壁パネル２０の一方側の柱１１に沿う鉛直方向高さ位置と、他方側の柱１１に沿う鉛直方向高さ位置のそれぞれを調整できる。
【００５５】
(5)外壁パネル２０の左右両側の枠材２１をタッピングねじ９１で、離し置きされて相隣る各建物ユニット１０の柱１１に付帯している木レンガ１２に本固定する（図５）。
【００５６】
離し置きされている各建物ユニット１０に取付けられている外壁パネル２０Ａ、２０Ｂの壁面材２２と、外壁パネル２０の壁面材２２とが形成する目地にガスケット９２を挿し込み、ガスケット９２の上端をシールコーキングする（図５）。これにより、離し置きされた建物ユニット１０の柱間隔Ａが外壁パネル２０により被覆されたものになる。
【００５７】
(6)下階で離し置きされた建物ユニット１０の柱間隔Ａを被覆した外壁パネル２０の外壁下金具２４が、シール部材を介して基礎２に当接され、コンクリートビス２４Ａで基礎２に取付けられる（図１２）。
【００５８】
下階で離し置きされた建物ユニット１０の柱間隔Ａを被覆した外壁パネル２０の外壁上金具２３と、上階で離し置きされた建物ユニット１０の柱間隔Ａを被覆した外壁パネル２０の外壁下金具２４とが、シール部材を介して互いに当接され、タッピングねじ２３Ａで互いに取付けられる（図１３）。
【００５９】
従って、本実施例によれば以下の作用効果を奏する。
(a)外壁パネル２０の縦調整金具４０を柱１１側の受け調整金具３０に相対するように吊り込み、外壁パネル２０の縦調整金具４０が備える調整ボルト４４を柱１１側の受け調整金具３０の受け面３２Ａに衝合し、該調整ボルト４４を螺動操作して縦調整金具４０が受け調整金具３０に対する取付高さ位置を調整し、外壁パネル２０を相隣る各柱１１に取付けることになる。離し置きされた建物ユニット１０の相隣る各柱１１が、それらの相互位置の鉛直高さ方向や水平方向でのずれを生ずることがあったとしても、それらの柱１１に取付けられる外壁パネル２０の取付高さ位置の調整により、それらの柱１１のずれを吸収する。これにより、離し置きされた建物ユニット１０の各柱１１に跨るように取付けられた外壁パネル２０の横模様（タイル目地等）が、離し置きの一方側の建物ユニット１０の外壁面に設けられている一方側の外壁パネル２０Ａの横模様と、離し置きの他方側の建物ユニット１０の外壁面に設けられている他方側の外壁パネル２０Ｂの横模様のそれぞれに対するずれを解消し、ユニット建物１の外壁面の外観を向上する。
【００６０】
(b)受け調整金具３０が相隣る各柱１１の外側面に設けてあるねじ３４の首に引っ掛けて取付けられる。これにより、受け調整金具３０を各柱１１に簡易に取付けできる。
【００６１】
(c)外壁パネル２０の縦調整金具４０を柱１１側の受け調整金具３０に相対するように吊り込んだ後、縦調整金具４０が受け調整金具３０に対する取付高さ位置を調整するに先立ち、外壁パネル２０の裏面に設けてある引掛け金具５０を相隣る各柱１１の外側面に仮取付けすることになる。これにより、縦調整金具４０が受け調整金具３０に対する取付高さ位置の調整作業性を向上できる。
【００６２】
(d)縦調整金具４０に設けてある孔４３に引寄せ具６０を挿し込むとともに、この引寄せ具６０の先端を受け調整金具３０に設けてある孔３３に挿し込み、縦調整金具４０を受け調整金具３０の側に引き寄せる。これにより、外壁パネル２０の裏面の引掛け金具５０を各柱１１の外側面に仮取付けする取付作業性を向上できる。
【００６３】
図１４〜図１８に示す外壁パネル１００は、離し置きされた２個の建物ユニット１０、１０の相隣る柱１１、１１に跨るように取付けられる。
【００６４】
このとき、図１８に示す如く、相隣る各柱１１、１１の外側面にはねじ１２０（トラスタッピングねじ等）が設けられる。ねじ１２０は、柱１１の外側面のうちで、外壁パネル１００が添設する外面１１Ａに直交する横面１１Ｂ（特に相隣る他の建物ユニット１０に臨む方の横面１１Ｂ）に設けられる。柱１１にねじ込まれたねじ１２０は、その頭部を柱１１の横面１１Ｂに当てることなく、その頭部と柱１１の横面１１Ｂとの間に後述する引掛け金具１１０が引っ掛けできる首長さを介する。
【００６５】
外壁パネル１００は、図１４〜図１６に示す如く、枠材１０１に壁面材１０２を貼着固定して形成される。外壁パネル１００は、枠材１０１の両端に固定片１０３、１０３が側方へ突出して設けられている（図１６）。
【００６６】
外壁パネル１００の裏面の上端部の枠材１０１には上金具１０４がねじ止めされて取付けられる。尚、外壁パネル１００の裏面の下端部の枠材１０１の裏面は、柱１１に予めねじ止めされて固定されている下金具１０５に添設可能にされる（図１７）。
【００６７】
外壁パネル１００は、図１４〜図１６に示す如く、左右２個の引掛け金具１１０を有する。２個の引掛け金具１１０は、外壁パネル１００の裏面の中間部の枠材１０１の左右にねじ１１１により固定される。各引掛け金具１１０は、相隣る各柱１１、１１に前述の如くに設けてあるねじ１２０の首に引掛けられて取付けられる。各引掛け金具１１０は、ねじ１２０の首に上方から引っ掛け可能になる下向き開口の取付溝１１０Ａを備える。
【００６８】
以下、ユニット建物１の施工方法について説明する（図１７、図１８）。
(1)外壁パネル１００を、相隣る２個の建物ユニット１０、１０の相隣る柱１１、１１の間に吊り込み、外壁パネル１００の裏面の左右に設けてある各引掛け金具１１０の取付溝１１０Ａを、相隣る各柱１１、１１の横面に設けてあるねじ１２０の首に上方から引っ掛けて仮取付けする（図１７、図１８）。
【００６９】
(2)外壁パネル１００の両引掛け金具１１０を相隣る柱１１、１１の相対向する横面に添設させ、それらの引掛け金具１１０をそれらの柱１１の横面に倣わせて外壁パネル１００の上下方向の取付位置を調整する。
【００７０】
(3)外壁パネル１００の枠材１０１の両端に突設してある両側の固定片１０３を、相隣る各建物ユニット１０の柱１１に付帯してある木レンガ１２に本固定する。
【００７１】
各建物ユニット１０に取付けられている外壁パネル１００Ａ、１００Ｂの壁面材１０２と、外壁パネル１００の壁面材１０２とが形成する目地にガスケット１３０を挿し込み、ガスケット１３０の上端をシールコーティングする。これにより、離し置きされた２個の建物ユニット１０、１０の柱間隔が外壁パネル１００により被覆されたものになる。
【００７２】
(4)下階で離し置きされた建物ユニット１０の柱間隔を被覆した外壁パネル１００の下端部の裏面は、該建物ユニット１０の柱１１の下端部に予め固定されている下金具１０５に、シール部材１３１を介して添設される。
【００７３】
上階で離し置きされた建物ユニット１０の柱間隔を被覆した外壁パネル１００の下端部の裏面は、該建物ユニット１０の柱１１の下端部に予め固定されている下金具１０５に、シール部材１３１を介して添設される。
【００７４】
下階で離し置きされた建物ユニット１０の柱間隔Ａを被覆した外壁パネル１００の上金具１０４に対し、上階の建物ユニット１０の柱１１の下端部に予め固定されている上述の下金具１０５が、シール部材１３２を介して互いに当接し、それらの上金具１０４と下金具１０５がタッピングねじ１３３で互いに取付けられる。
【００７５】
従って、本実施例によれば以下の作用効果を奏する。
(a)外壁パネル１００を相隣る各柱１１に取付けるに際し、外壁パネル１００の裏面に設けてある引掛け金具１１０を相隣る各柱１１の外側面に設けてあるねじ１２０の首に引っ掛け、外壁パネル１００を各柱１１の外側面に仮取付けすることになる。これにより、各柱１１に対する外壁パネル１００の取付高さ位置をねじ１２０の首により容易に定めることができ、取付位置の高精度を図ることができる。そして、外壁パネル１００に設けてある引掛け金具１１０をねじ１２０の首に引っ掛けた後は、重機を用いずに人手で、外壁パネル１００の取付位置を微調整し、本固定でき、取付作業時間を短縮できる。また、外壁パネル１００の本固定時に、外壁パネル１００は引掛け金具１１０とねじ１２０の首との引っ掛かりにより静止保持され、風力や重機の状態に左右されず、安定的に施工できる。
【００７６】
(b)外壁パネル１００の引掛け金具１１０が、柱１１の外側面のうちで該外壁パネル１００が添設する外面１１Ａに直交する横面１１Ｂに設けてあるねじ１２０の首に引っ掛けて取付けられる。外壁パネル１００の引掛け金具１１０を柱１１の外側面のうちの横面１１Ｂに設けてあるねじ１２０の首に引っ掛けるようにするときに、引掛け金具１１０が柱１１の横面１１Ｂに当たり、外壁パネル１００の横方向の取付位置が直ちに位置決めされる。同時に、引掛け金具１１０を柱１１の横面１１Ｂに倣わせることにより、外壁パネル１００の上下方向の取付位置を容易に調整できる。これにより、引掛け金具１１０を素早くねじ１２０の首に引っ掛けできる。建物の外側に立つ作業者により外壁パネル１００の裏面に設けてある引掛け金具１１０を容易にねじ１２０の首に引っ掛けできる。
【００７７】
(c)外壁パネル１００の引掛け金具１１０を柱１１の外側面に設けてあるねじ１２０の首に引っ掛けて仮取付けした後、外壁パネル１００の端から突出する固定片１０３を建物にビス止めすることにより、外壁パネル１００を本固定できる。
【００７８】
(d)外壁パネル１００の下端部の裏面が、柱１１に固定されている下金具１０５に、シール部材１３１を介する等により、安定的に添設されて取付けできる。
【００７９】
(e)外壁パネル１００の裏面の上端部に設けてある上金具１０４に対し、上階建物ユニットの柱１１に固定されている下金具１０５が、シール部材１３２を介する等により安定的に当接して取付けられる。
【００８０】
図１９〜図２１に示す外壁パネル２００が、上述の外壁パネル１００と異なる点は、引掛け金具１１０が１つだけ設けられたことにある。
【００８１】
この外壁パネル２００は、図２２に示す如く、離し置きされた２個の建物ユニット１０Ａ、１０Ｂが入隅を形成するときに用いられ、それらの建物ユニット１０Ａ、１０Ｂが相隣る各柱１１、１１に跨るように取付けられる。
【００８２】
即ち、外壁パネル２００の一端側の引掛け金具１１０が一方の建物ユニット１０Ａの柱１１の横面１１Ｂに設けてあるねじ１２０の首に引っ掛けられ、外壁パネル２００の他端側の固定片２０１が他方の建物ユニット１０Ｂの柱１１の横面１１Ｂに立て掛けられる。これにより、外壁パネル２００が入隅に設けられて相隣る柱１１、１１の外側面に仮取付けされる。
【００８３】
尚、外壁パネル２００の一端側の固定片１０３は一方の建物ユニット１０Ａの柱１１に付帯している木レンガ１２にタッピングねじで固定され、外壁パネル２００の他端側の固定片２０１は他方の建物ユニット１０Ｂの柱１１自体にタッピングねじで固定される。
【００８４】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００８５】
本発明は、離し置きされた２個の建物ユニットの相隣る各柱に跨るように外壁パネルを取付けてなるユニット建物において、前記外壁パネルの裏面に、相隣る各柱の少なくとも一方の柱の外側面に設けてあるねじの首に引っ掛けて取付けられる引掛け金具が設けられ、前記外壁パネルの引掛け金具が、柱の外側面のうちで該外壁パネルが添設する外面に直交する横面に設けてあるねじの首に引っ掛けて取付けられ、前記引掛け金具は、上記ねじの首に上方から引っ掛け可能になる下向き開口の取付溝を備え、上記柱に倣って外壁パネルの上下方向の取付位置を調整可能にする。これにより、相隣る建物ユニットを離し置きしてなるユニット建物の外壁面の外観を向上することができる。
【符号の説明】
【００８６】
１  ユニット建物
１０、１０Ａ、１０Ｂ  建物ユニット
１１  柱
１１Ａ  外面
１１Ｂ  横面
２０  外壁パネル
３０  受け調整金具
３２Ａ  受け面
３３  孔
３４  ねじ
３５  ねじ
４０  縦調整金具
４３  孔
４４  調整ボルト
５０  引掛け金具
６０  引き寄せ具
１００、２００  外壁パネル
１０３、２０１  固定片
１０４  上金具
１０５  下金具
１１０  引掛け金具
１２０  ねじ
【図１】
2011226262.tif 000003
【図２】
2011226262.tif 000004
【図３】
2011226262.tif 000005
【図４】
2011226262.tif 000006
【図５】
2011226262.tif 000007
【図６】
2011226262.tif 000008
【図７】
2011226262.tif 000009
【図８】
2011226262.tif 000010
【図９】
2011226262.tif 000011
【図１０】
2011226262.tif 000012
【図１１】
2011226262.tif 000013
【図１２】
2011226262.tif 000014
【図１３】
2011226262.tif 000015
【図１４】
2011226262.tif 000016
【図１５】
2011226262.tif 000017
【図１６】
2011226262.tif 000018
【図１７】
2011226262.tif 000019
【図１８】
2011226262.tif 000020
【図１９】
2011226262.tif 000021
【図２０】
2011226262.tif 000022
【図２１】
2011226262.tif 000023
【図２２】
2011226262.tif 000024